(57)【要約】  【課題】  電気機器本体及び電気機器本体を遠隔操作する遠隔操作器を備える電気機器において、複数の電気機器本体で動作に係る設定情報を簡単に共用することができ、使用者が簡単に使用できる電気機器を提供することにあり、また、この電気機器を構成する電気機器本体及び遠隔操作器を提供することにある。また、複数のプロジェクタ本体で設定情報を簡単に共用することができるプロジェクタを提供することにある。  【解決手段】  プロジェクタ本体１の設定情報を、プロジェクタ本体１との間で送受信する赤外線通信部２３と、赤外線通信部２３が受信した設定情報を記憶する記憶部２５をリモコン２０に設ける。一のプロジェクタ本体の設定情報を受信して記憶し、記憶した設定情報を他のプロジェクタ本体へ送信して、他のプロジェクタ本体の設定を簡単に行う。【選択図】      図４
2006292898.tif 000002
【特許請求の範囲】
【請求項１】
遠隔操作可能な電気機器本体と、該電気機器本体の操作を行う遠隔操作器とを備える電気機器において、
前記電気機器本体は、前記電気機器本体の動作に係る設定情報を前記遠隔操作器へ送信する本体側通信部を有し、
前記遠隔操作器は、前記本体側通信部から送信された設定情報を受信する操作器側通信部と、該操作器側通信部が受信した設定情報を記憶する記憶部とを有し、該記憶部に記憶された設定情報を電気機器本体へ送信可能にしてあること
を特徴とする電気機器。
【請求項２】
遠隔操作可能な電気機器本体と、該電気機器本体の操作を行う遠隔操作器とを備える電気機器において、
前記遠隔操作器は、前記電気機器本体の動作に係る設定情報を記憶する記憶部と、該記憶部が記憶した設定情報を前記電気機器本体へ送信する操作器側通信部とを有し、
前記電気機器本体は、前記操作器側通信部から送信された設定情報を受信する本体側通信部を有し、該本体側通信部が受信した設定情報に応じて動作するようにしてあること
を特徴とする電気機器。
【請求項３】
前記記憶部は、複数の設定情報を記憶可能にしてあり、
前記遠隔操作器は、前記記憶部が記憶している複数の設定情報から一つを選択する選択手段を有し、該選択手段が選択した設定情報を前記電気機器本体へ送信するようにしてある請求項１又は請求項２に記載の電気機器。
【請求項４】
前記遠隔操作器は、複数の面で構成された筐体を有し、該筐体の一面は操作部が設けられた操作面にしてあり、
前記電気機器本体は、筐体と、該筐体に形成され、前記遠隔操作器を収容する収容部とを有し、
該収容部は、前記遠隔操作器の前記操作面又は前記操作面の反対面のいずれか一方を露出させた状態で、前記遠隔操作器を収容可能にしてある請求項１乃至請求項３のいずれか１つに記載の電気機器。
【請求項５】
前記本体側通信部は、前記電気機器本体の筐体に複数設けてあり、
複数の前記本体側通信部の中の１つは、前記遠隔操作器を前記操作面を露出させて前記収容部に収容した場合に、前記遠隔操作器の筐体に設けられた前記操作器側通信部と対向する位置に配設してある請求項４に記載の電気機器。
【請求項６】
前記電気機器本体は、前記電気機器本体の操作を行うための操作部を有しない請求項１乃至請求項５のいずれか１つに記載の電気機器。
【請求項７】
前記遠隔操作器を複数備え、
複数の前記遠隔操作器は、前記電気機器本体に対する操作内容の一部又は全部が異なる操作部を有する請求項１乃至請求項６のいずれか１つに記載の電気機器。
【請求項８】
遠隔操作器により操作される電気機器本体において、
動作に係る設定情報を前記遠隔操作器へ送信する通信部を備えること
を特徴とする電気機器本体。
【請求項９】
操作部を有しない請求項８に記載の電気機器本体。
【請求項１０】
電気機器本体の操作を行う遠隔操作器において、
前記電気機器本体の動作に係る設定情報を前記電気機器本体から受信する通信部と、該通信部が受信した設定情報を記憶する記憶部とを有し、該記憶部が記憶した設定情報を電気機器本体へ送信可能にしてあること
を特徴とする遠隔操作器。
【請求項１１】
遠隔操作可能なプロジェクタ本体と、該プロジェクタ本体の操作を行う遠隔操作器とを備えるプロジェクタにおいて、
前記プロジェクタ本体は、前記プロジェクタ本体の投影に係る設定情報を前記遠隔操作器へ送信する本体側通信部を有し、
前記遠隔操作器は、前記本体側通信部から送信された設定情報を受信する操作器側通信部と、該操作器側通信部が受信した設定情報を記憶する記憶部とを有し、該記憶部が記憶した設定情報をプロジェクタ本体へ送信可能にしてあること
を特徴とするプロジェクタ。
【請求項１２】
遠隔操作可能なプロジェクタ本体と、該プロジェクタ本体の操作を行う遠隔操作器とを備えるプロジェクタにおいて、
前記遠隔操作器は、前記プロジェクタ本体の投影に係る設定情報を記憶する記憶部と、該記憶部が記憶した設定情報を前記プロジェクタ本体へ送信する操作器側通信部とを有し、
前記プロジェクタ本体は、前記操作器側通信部から送信された設定情報を受信する本体側通信部を有し、該本体側通信部が受信した設定情報に応じて投影を行うようにしてあることを特徴とするプロジェクタ。
【請求項１３】
前記遠隔操作器を複数備え、
複数の前記遠隔操作器は、前記プロジェクタ本体に対する操作内容の一部又は全部が異なる操作部を有する請求項１１又は請求項１２に記載のプロジェクタ。
【請求項１４】
前記プロジェクタ本体は、コンピュータからのデータ信号及び映像再生器からの映像信号が入力可能であり、前記データ信号又は前記映像信号に基づいて投影を行うようにしてあり、
前記遠隔操作機を２つ備え、一方は前記データ信号に基づく投影に係る操作を行うための操作部を有し、他方は前記映像信号に基づく投影に係る操作を行うための操作部を有する請求項１１乃至請求項１３のいずれか１つに記載のプロジェクタ。
【発明の詳細な説明】
【技術分野】
【０００１】
本発明は、遠隔操作器及び遠隔操作器により操作される電気機器本体を備える電気機器に関し、また、電気機器を構成する電気機器本体及び遠隔操作器に関する。更には、遠隔操作器及び遠隔操作器により操作されるプロジェクタ本体を備えるプロジェクタに関する。
【背景技術】
【０００２】
近年の電気機器には、遠隔操作を行うための遠隔操作器、所謂リモコンが付属していることが多く、リモコンによって電気機器本体の電源のオン／オフ、動作の開始及び停止、並びに動作条件の設定等を行うことができる。例えば、プロジェクタに付属しているリモコンでは、映像の表示開始／停止、投射用のレンズの焦点合わせ、表示される映像の大きさの設定、並びに表示される映像のＲＧＢ各色の明度、彩度及び色相等の設定などを行うことができる。
【０００３】
特許文献１においては、付属のリモコンから投影する映像の大きさ及びスクリーンまでの距離を入力することで、投射用のレンズのフォーカス及びズームの設定を自動的に行うことができるプロジェクタ装置が提案されている。これにより、使用者が難しい設定を行うことなく、レンズの焦点合わせ又は画面の大きさの設定などを簡単に行うことができる。
【特許文献１】特開２００２−７２３５４号公報
【発明の開示】
【発明が解決しようとする課題】
【０００４】
プロジェクタでは、表示される映像のＲＧＢ各色の明度、彩度及び色相等の多くの項目の設定を行うことができるが、設定内容は設定を行ったプロジェクタのみで有効であり、使用者が別のプロジェクタを使用する場合、又はプロジェクタの買い換えを行った場合等では、再度設定を行う必要がある。また、プロジェクタは、グラフなどの図形又は文字等を表示するプレゼンテーションに用いる場合と、映画などの鑑賞に用いる場合とでは、適した明度又は彩度等の設定が異なるため、両用途に使用する場合は設定の変更に手間がかかる。
【０００５】
また、プレゼンテーションを行う場合には、プロジェクタのリモコンに例えばパーソナルコンピュータ（以下パソコンと呼称する）と同期させてプレゼンテーションソフトのページの送り戻しを行う機能又はマウスカーソルの移動を行う機能等を備えていることが望ましい。映画の鑑賞を行う場合には、音量の調整機能又は再生中の動画を静止画として停止させて表示する機能等を備えていることが望ましい。これらの機能を全てリモコンに備えた場合、リモコンが大型化するばかりでなく、プロジェクタを両用途に使用しない場合には、使用することのないボタン又はスイッチ等が多数存在するため、リモコンが使用しにくいものになる。
【０００６】
本発明は、斯かる事情に鑑みてなされたものであって、その目的とするところは、電気機器本体の設定情報を遠隔操作器へ送信する通信部を電気機器本体に設け、電気機器本体から送信された設定情報を受信する通信部及び設定情報を記憶する記憶部を遠隔操作器に設けることで、遠隔操作器に電気機器本体から受信した設定情報を記憶しておき、記憶してある設定情報を他の電気機器本体へ送信することができる電気機器を提供することにある。
【０００７】
また本発明の他の目的とするところは、電気機器本体の設定情報を記憶する記憶部及び記憶部に記憶してある設定情報を電気機器本体へ送信する通信部を遠隔操作器に設け、遠隔操作器から送信された設定情報を受信する通信部を電気機器本体に設けることで、遠隔操作器に記憶してある設定情報をいくつかの電気機器本体で共用することができる電気機器を提供することにある。
【０００８】
また本発明の他の目的とするところは、遠隔操作器の記憶部が複数の設定情報を記憶するようにしておくことで、使用状況又は使用者等毎に異なる設定を記憶することができ、使用状況又は使用者に適した設定を送信して電気機器本体を動作させることができる電気機器を提供することにある。
【０００９】
また本発明の他の目的とするところは、遠隔操作器の筐体の一面に設けられた操作部を露出させた状態、又は操作部が設けられた面の反対面を露出させた状態で、遠隔操作器を収容する収容部を電気機器本体の筐体に設けることで、操作部が設けられた面を露出させて遠隔操作器を収容した場合には、遠隔操作器の操作部を電気機器本体の操作部とすることができ、反対面を露出させて収容した場合には、操作部が露出しないため誤操作を防止できる電気機器を提供することにある。
【００１０】
また本発明の他の目的とするところは、電気機器本体側の通信部を、遠隔操作器の操作部が設けられている面を露出させて収容部に収容した場合に、遠隔操作器の筐体に設けられた通信部と対向する位置に配することで、電気機器本体及び遠隔操作器の間の通信を赤外線通信などで行う場合に、別の手段を設けることなく、遠隔操作器を収容部に収容して電気機器本体の操作部として利用することができる電気機器を提供することにある。
【００１１】
また本発明の他の目的とするところは、電気機器本体の操作を行うための操作部を電気機器本体に設けないことで、遠隔操作器がない場合には電気機器本体が操作できず、盗難を抑止することができる電気機器を提供することにある。
【００１２】
また本発明の他の目的とするところは、使用目的に対応して操作部の異なる遠隔操作器を複数備えることで、使用目的に応じて使用者が遠隔操作器を選択して使用することができ、操作が行いやすい電気機器を提供することにある。
【００１３】
また本発明の他の目的とするところは、設定情報を遠隔操作器へ送信する通信部を設けることで、遠隔操作器を介して他の電気機器本体へ設定情報を送信し、複数の電気機器本体で設定を共有することができる電気機器本体を提供することにある。
【００１４】
また本発明の他の目的とするところは、操作を行うための操作部を設けないことで、遠隔操作器なしで操作することができず、遠隔操作器を別に保管した場合には、盗難を抑止することができる電気機器本体を提供することにある。
【００１５】
また本発明の他の目的とするところは、電気機器本体から送信された設定情報を受信する通信部及び設定情報を記憶する記憶部を設けることで、電気機器本体から受信した設定情報を他の電気機器本体へ送信することができる遠隔操作器を提供することにある。
【００１６】
また本発明の他の目的とするところは、プロジェクタ本体の設定情報を遠隔操作器へ送信する通信部をプロジェクタ本体に設け、プロジェクタ本体から送信された設定情報を受信する通信部及び設定情報を記憶する記憶部を遠隔操作器に設けることで、遠隔操作器にプロジェクタ本体から受信した設定情報を記憶しておき、記憶してある設定情報を他のプロジェクタ本体へ送信することができるプロジェクタを提供することにある。
【００１７】
また本発明の他の目的とするところは、プロジェクタ本体の設定情報を記憶する記憶部及び記憶部に記憶してある設定情報をプロジェクタ本体へ送信する通信部を遠隔操作器に設け、遠隔操作器から送信された設定情報を受信する通信部をプロジェクタ本体に設けることで、遠隔操作器に記憶してある設定情報をいくつかのプロジェクタ本体で共用することができるプロジェクタを提供することにある。
【００１８】
また本発明の他の目的とするところは、使用目的に対応して操作部の異なる遠隔操作器を複数備えることで、使用目的に応じて使用者が遠隔操作器を選択して使用することができ、操作が行いやすいプロジェクタを提供することにある。
【００１９】
また本発明の他の目的とするところは、パソコンから入力されるプレゼンテーション用のデータのデータ信号及び映像再生器から入力される映像信号に基づいて投影を行うことができる場合に、パソコンからのデータの投影を行うための操作部を有する遠隔操作器及び映像再生器からの映像の投影を行うための操作部を有する遠隔操作器の２種類の遠隔操作器を備えることで、使用目的に応じて使用者が遠隔操作器を選択して使用することができ、操作が行いやすいプロジェクタを提供することにある。
【課題を解決するための手段】
【００２０】
本発明に係る電気機器は、遠隔操作可能な電気機器本体と、該電気機器本体の操作を行う遠隔操作器とを備える電気機器において、前記電気機器本体は、前記電気機器本体の動作に係る設定情報を前記遠隔操作器へ送信する本体側通信部を有し、前記遠隔操作器は、前記本体側通信部から送信された設定情報を受信する操作器側通信部と、該操作器側通信部が受信した設定情報を記憶する記憶部とを有し、該記憶部に記憶された設定情報を電気機器本体へ送信可能にしてあることを特徴とする。
【００２１】
本発明においては、電気機器本体の設定情報を遠隔操作器へ送信する通信部を電気機器本体に設け、電気機器本体から送信された設定情報を受信する通信部及び設定情報を記憶する記憶部を遠隔操作器に設ける。一の電気機器本体の設定情報を受信して記憶し、記憶した設定情報を他の電気機器本体へ送信して、他の電気機器本体の設定を簡単に行う。これにより、複数の電気機器本体で同じ設定を簡単に共用できる。
【００２２】
また、本発明に係る電気機器は、遠隔操作可能な電気機器本体と、該電気機器本体の操作を行う遠隔操作器とを備える電気機器において、前記遠隔操作器は、前記電気機器本体の動作に係る設定情報を記憶する記憶部と、該記憶部が記憶した設定情報を前記電気機器本体へ送信する操作器側通信部とを有し、前記電気機器本体は、前記操作器側通信部から送信された設定情報を受信する本体側通信部を有し、該本体側通信部が受信した設定情報に応じて動作するようにしてあることを特徴とする。
【００２３】
本発明においては、電気機器本体の設定情報を記憶する記憶部及び記憶部に記憶してある設定情報を電気機器本体へ送信する通信部を遠隔操作器に設け、遠隔操作器から送信された設定情報を受信する通信部を電気機器本体に設ける。遠隔操作器に設定情報を記憶しておき、複数の電気機器本体に設定情報を送信して、簡単に複数の電気機器本体で同じ設定を共用する。
【００２４】
また、本発明に係る電気機器は、前記記憶部が、複数の設定情報を記憶可能にしてあり、前記遠隔操作器は、前記記憶部が記憶している複数の設定情報から一つを選択する選択手段を有し、該選択手段が選択した設定情報を前記電気機器本体へ送信するようにしてあることを特徴とする。
【００２５】
本発明においては、遠隔操作器の記憶部に複数の設定情報を記憶しておき、複数の設定情報から一つを選択して電気機器本体に送信し、電気機器本体の設定を行う。これにより、電気機器本体の設定を簡単に変更し、使用状況に適した設定を行う。
【００２６】
また、本発明に係る電気機器は、前記遠隔操作器が、複数の面で構成された筐体を有し、該筐体の一面は操作部が設けられた操作面にしてあり、前記電気機器本体は、筐体と、該筐体に形成され、前記遠隔操作器を収容する収容部とを有し、該収容部は、前記遠隔操作器の前記操作面又は前記操作面の反対面のいずれか一方を露出させた状態で、前記遠隔操作器を収容可能にしてあることを特徴とする。
【００２７】
本発明においては、遠隔操作器の筐体の一面に設けられた操作部を露出させた状態、又は操作部が設けられた面の反対面を露出させた状態で、遠隔操作器を収容する収容部を電気機器本体の筐体に設ける。遠隔操作器を電気機器本体の操作部として使用する場合には、操作部が設けられた面を露出させて収容し、電気機器本体の誤操作を防止する場合には、反対面を露出させて収容する。
【００２８】
また、本発明に係る電気機器は、前記本体側通信部が、前記電気機器本体の筐体に複数設けてあり、複数の前記本体側通信部の中の１つは、前記遠隔操作器を前記操作面を露出させて前記収容部に収容した場合に、前記遠隔操作器の筐体に設けられた前記操作器側通信部と対向する位置に配設してあることを特徴とする。
【００２９】
本発明においては、電気機器本体側の通信部を、遠隔操作器の操作部が設けられている面を露出させて収容部に収容した場合に、遠隔操作器の筐体に設けられた遠隔操作器側の通信部と対向する位置に配設する。これにより、遠隔操作器を電気機器本体に収容して使用するときに、電気機器本体及び遠隔操作器の間の通信を赤外線通信などで行う場合であっても、電気機器本体及び遠隔操作器の間で通信を確実に行える。
【００３０】
また、本発明に係る電気機器は、前記電気機器本体が、前記電気機器本体の操作を行うための操作部を有しないことを特徴とする。
【００３１】
本発明においては、電気機器本体の操作を行うための操作部を電気機器本体に設けず、遠隔操作器のみで電気機器本体を操作するようにする。これにより、遠隔操作器を所持していない場合には、電気機器本体を操作できないため、遠隔操作器を別に保管することで、盗難を抑止できる。
【００３２】
また、本発明に係る電気機器は、前記遠隔操作器を複数備え、複数の前記遠隔操作器は、前記電気機器本体に対する操作内容の一部又は全部が異なる操作部を有することを特徴とする。
【００３３】
本発明においては、使用目的に対応して操作部の異なる遠隔操作器を複数備える。使用者は電気機器本体の使用目的に応じて適した遠隔操作器を選択して使用する。
【００３４】
また、本発明に係る電気機器本体は、遠隔操作器により操作される電気機器本体において、動作に係る設定情報を前記遠隔操作器へ送信する通信部を備えることを特徴とする。
【００３５】
本発明においては、設定情報を遠隔操作器へ送信する通信部を設け、遠隔操作器を介して他の電気機器本体へ設定情報を送信し、他の電気機器本体の設定を簡単に行う。これにより、複数の電気機器本体で同じ設定を簡単に共用できる。
【００３６】
また、本発明に係る電気機器本体は、操作部を有しないことを特徴とする。
【００３７】
本発明においては、操作を行うための操作部を電気機器本体に設けずに、遠隔操作器のみで電気機器本体を操作するようにする。これにより、遠隔操作器を所持していない場合には、電気機器本体を操作できないため、遠隔操作器を別に保管することで、盗難を防止できる。
【００３８】
また、本発明に係る遠隔操作器は、電気機器本体の操作を行う遠隔操作器において、前記電気機器本体の動作に係る設定情報を前記電気機器本体から受信する通信部と、該通信部が受信した設定情報を記憶する記憶部とを有し、該記憶部が記憶した設定情報を電気機器本体へ送信可能にしてあることを特徴とする。
【００３９】
本発明においては、電気機器本体から送信された設定情報を受信する通信部及び受信した設定情報を記憶する記憶部を遠隔操作器に設ける。一の電気機器本体の設定情報を受信して記憶し、記憶した設定情報を他の電気機器本体へ送信して、他の電気機器本体の設定を簡単に行う。これにより、複数の電気機器本体で同じ設定を簡単に共用できる。
【００４０】
また、本発明に係るプロジェクタは、遠隔操作可能なプロジェクタ本体と、該プロジェクタ本体の操作を行う遠隔操作器とを備えるプロジェクタにおいて、前記プロジェクタ本体は、前記プロジェクタ本体の投影に係る設定情報を前記遠隔操作器へ送信する本体側通信部を有し、前記遠隔操作器は、前記本体側通信部から送信された設定情報を受信する操作器側通信部と、該操作器側通信部が受信した設定情報を記憶する記憶部とを有し、該記憶部が記憶した設定情報をプロジェクタ本体へ送信可能にしてあることを特徴とする。
【００４１】
本発明においては、プロジェクタ本体の設定情報を遠隔操作器へ送信する通信部をプロジェクタ本体に設け、プロジェクタ本体から送信された設定情報を受信する通信部及び設定情報を記憶する記憶部を遠隔操作器に設ける。一のプロジェクタ本体の設定情報を受信して記憶し、記憶した設定情報を他のプロジェクタ本体へ送信して、他のプロジェクタ本体の設定を簡単に行う。これにより、複数のプロジェクタ本体で同じ設定を簡単に共用できる。
【００４２】
また、本発明に係るプロジェクタは、遠隔操作可能なプロジェクタ本体と、該プロジェクタ本体の操作を行う遠隔操作器とを備えるプロジェクタにおいて、前記遠隔操作器は、前記プロジェクタ本体の投影に係る設定情報を記憶する記憶部と、該記憶部が記憶した設定情報を前記プロジェクタ本体へ送信する操作器側通信部とを有し、前記プロジェクタ本体は、前記操作器側通信部から送信された設定情報を受信する本体側通信部を有し、該本体側通信部が受信した設定情報に応じて投影を行うようにしてあることを特徴とする。
【００４３】
本発明においては、プロジェクタ本体の設定情報を記憶する記憶部及び記憶部に記憶してある設定情報をプロジェクタ本体へ送信する通信部を遠隔操作器に設け、遠隔操作器から送信された設定情報を受信する通信部をプロジェクタ本体に設ける。遠隔操作器に設定情報を記憶しておき、複数のプロジェクタ本体に設定情報を送信して、簡単に複数のプロジェクタ本体で同じ設定を共用する。
【００４４】
また、本発明に係るプロジェクタは、前記遠隔操作器を複数備え、複数の前記遠隔操作器は、前記プロジェクタ本体に対する操作内容の一部又は全部が異なる操作部を有することを特徴とする。
【００４５】
本発明においては、使用目的に対応して操作部の異なる遠隔操作器を複数備える。使用者はプロジェクタ本体の使用目的に応じて適した遠隔操作器を選択して使用する。
【００４６】
また、本発明に係るプロジェクタは、前記プロジェクタ本体が、コンピュータからのデータ信号及び映像再生器からの映像信号が入力可能であり、前記データ信号又は前記映像信号に基づいて投影を行うようにしてあり、前記遠隔操作機を２つ備え、一方は前記データ信号に基づく投影に係る操作を行うための操作部を有し、他方は前記映像信号に基づく投影に係る操作を行うための操作部を有することを特徴とする。
【００４７】
本発明においては、パソコンから入力されるデータの投影を行うための操作部を有する遠隔操作器及び映像再生器から入力される映像の投影を行うための操作部を有する遠隔操作器の２種類の遠隔操作器を備える。使用者はプロジェクタ本体の使用目的に応じて適した遠隔操作器を選択して使用する。
【発明の効果】
【００４８】
本発明による場合は、電気機器本体の設定情報を遠隔操作器へ送信する通信部を電気機器本体に設け、電気機器本体から送信された設定情報を受信する通信部及び設定情報を記憶する記憶部を遠隔操作器に設けることで、電気機器本体から受信した設定情報を他の電気機器本体へ送信することができ、使用者が複数の電気機器本体を使用する場合又は電気機器本体を買い換えた場合等に、全く同じ設定を他の電気機器本体で共用できるため、使用者が設定を行う手間を省略でき、使用者が電気機器を簡単に使用することができる。
【００４９】
また本発明による場合は、電気機器本体の設定情報を記憶する記憶部及び記憶部に記憶してある設定情報を電気機器本体へ送信する通信部を遠隔操作器に設け、遠隔操作器から送信された設定情報を受信する通信部を電気機器本体に設けることで、遠隔操作器に記憶してある設定情報を他の電気機器本体へ送信することができ、使用者が複数の電気機器本体を使用する場合又は電気機器本体を買い換えた場合等に、全く同じ設定を他の電気機器本体で共用できるため、使用者が電気機器を簡単に使用することができる。
【００５０】
また本発明による場合は、遠隔操作器の記憶部が複数の設定情報を記憶しておくことで、使用状況又は使用者等毎に異なる設定を記憶することができ、使用状況又は使用者に適した設定情報を電気機器本体に送信することができるため、簡単に設定の変更を行うことができ、使用者が簡単に電気機器を使用することができる。
【００５１】
また本発明による場合は、遠隔操作器の筐体の一面に設けられた操作部を露出させた状態、又は操作部が設けられた面の反対面を露出させた状態で、遠隔操作器を収容する収容部を電気機器本体の筐体に設けることで、操作部が設けられた面を露出させて収容した場合には、遠隔操作器の操作部を電気機器本体の操作部として使用することができ、反対面を露出させて収容した場合には、操作部が外部に露出せず、使用者が操作できないため、誤操作を防止することができる。
【００５２】
また本発明による場合は、電気機器本体側の通信部を、遠隔操作器の操作部が設けられている面を露出させて収容部に収容した場合に、遠隔操作器の筐体に設けられた遠隔操作器側の通信部と対向する位置に配することで、電気機器本体及び遠隔操作器の間の通信を赤外線通信などで行うものであっても、遠隔操作器を電気機器本体の収容部に収容して使用する場合に、電気機器本体及び遠隔操作器の通信を簡単に、且つ確実に行うことができる。このため、電気機器本体及び遠隔操作器を接続する接続手段を別に設ける必要がないため、コストを増加させることなく、遠隔操作器を収容部に収容して電気機器本体の操作部として使用することができる。
【００５３】
また本発明による場合は、電気機器本体の操作を行うための操作部を電気機器本体に設けず、遠隔操作器のみで電気機器本体を操作するようにすることで、遠隔操作器を別に保管した場合には、電気機器本体のみで操作を行うことができないため、盗難を抑止することができる。
【００５４】
また本発明による場合は、使用目的に対応して操作部の異なる遠隔操作器を複数備えることで、使用者が使用目的に応じて適した遠隔操作器を選択して使用することができるため、使用者が使用しやすく、また、不必要なボタン又はスイッチ等を搭載しないことで、遠隔操作器を小型化することができる。
【００５５】
また本発明による場合は、設定情報を遠隔操作器へ送信する通信部を設けることで、遠隔操作器を介して他の電気機器本体へ設定情報を送信することができるため、使用者が複数の電気機器本体を使用する場合又は電気機器本体を買い換えた場合等に、全く同じ設定を他の電気機器本体で共用できるため、使用者が設定を行う手間を省略でき、使用者が簡単に使用することができる。
【００５６】
また本発明による場合は、操作を行うための操作部を設けずに、遠隔操作器のみで操作するようにすることで、遠隔操作器を別に保管した場合には、電気機器本体のみで操作を行うことができないため、盗難を抑止することができる。
【００５７】
また本発明による場合は、電気機器本体から送信された設定情報を受信する通信部及び設定情報を記憶する記憶部を設けることで、一の電気機器本体の設定情報を受信して記憶し、記憶した設定情報を他の電気機器本体へ送信することができ、他の電気機器本体の設定を簡単に行うことができるため、複数の電気機器本体で同じ設定を簡単に共用することができ、使用者が設定を行う手間を省略できる。
【００５８】
また本発明による場合は、プロジェクタ本体の設定情報を遠隔操作器へ送信する通信部をプロジェクタ本体に設け、プロジェクタ本体から送信された設定情報を受信する通信部及び設定情報を記憶する記憶部を遠隔操作器に設けることで、プロジェクタ本体から受信した設定情報を他のプロジェクタ本体へ送信することができ、使用者が複数のプロジェクタ本体を使用する場合又はプロジェクタ本体を買い換えた場合等に、全く同じ設定を他のプロジェクタ本体で共用できるため、使用者が設定を行う手間を省略でき、使用者がプロジェクタを簡単に使用することができる。
【００５９】
また本発明による場合は、プロジェクタ本体の設定情報を記憶する記憶部及び記憶部に記憶してある設定情報を電気機器へ送信する通信部を遠隔操作器に設け、遠隔操作器から送信された設定情報を受信する通信部をプロジェクタ本体に設けることで、遠隔操作器に記憶してある設定情報を他のプロジェクタ本体へ送信することができ、使用者が複数のプロジェクタ本体を使用する場合又はプロジェクタ本体を買い換えた場合等に、全く同じ設定を他のプロジェクタ本体で共用できるため、使用者がプロジェクタを簡単に使用することができる。
【００６０】
また本発明による場合は、使用目的に対応して操作部の異なる遠隔操作器を複数備えることで、使用者が使用目的に応じて適した遠隔操作器を選択して使用することができるため、使用者が使用しやすく、また、不必要なボタン又はスイッチ等を搭載しないことで、遠隔操作器を小型化することができる。
【００６１】
また本発明による場合は、パソコンから入力されるデータの投影を行うための操作部を有する遠隔操作器及び映像再生器から入力される映像の投影を行うための操作部を有する遠隔操作器の２種類の遠隔操作器を備えることで、使用目的に応じて使用者が遠隔操作器を選択して使用することができるため、使用者が使用しやすく、また、不必要なボタン又はスイッチ等を搭載しないことで、遠隔操作器を小型化することができる。
【発明を実施するための最良の形態】
【００６２】
以下、本発明をその実施の形態を示す図面に基づき具体的に説明する。なお、本実施の形態においては、電気機器としてプロジェクタを例に説明を行う。
（実施の形態１）
図１は、本発明に係るプロジェクタの構成を示す略示外観図である。図１において１はプロジェクタ本体であり、プロジェクタ本体１はパソコン１０１（図３にて図示する）を接続してプレゼンテーション用のデータを投影する機能と、ＤＶＤプレーヤー１０２（図３にて図示する）を接続して映画などの観賞用の映像を投影する機能とを備えるマルチメディア型のプロジェクタである。プロジェクタ本体１は、略直方体の筐体２の一の側面に投射レンズ部３が設けてあり、投射レンズ部３からスクリーン１００へ投影を行う。
【００６３】
また、図１において２０及び３０は共にプロジェクタ本体１を操作するための遠隔操作器（以下リモコンと呼称する）であり、一方がパソコン１０１から入力されるプレゼンテーション用のデータの投影を行う場合に使用するプレゼン用リモコン２０であり、他方がプロジェクタ本体１をホームシアターに用いて、ＤＶＤプレーヤー１０２から入力される映画などの映像の投影を行う場合に使用するシアター用リモコン３０である。
【００６４】
プレゼン用リモコン２０は、扁平な略直方体の筐体２１と、筐体２１の一面の操作面２１ａに配された操作部２２と、筐体２１の一の側面部に配され、プロジェクタ本体１と赤外線による通信を行うための赤外線通信部２３とを備えている。また、シアター用リモコン３０はプレゼン用リモコン２０と略同一の形状であり、扁平な略直方体の筐体３１と、筐体３１の一面の操作面３１ａに配された操作部３２と、筐体３１の一の側面部に配され、プロジェクタ本体１と赤外線による通信を行うための赤外線通信部３３とを備えている。
【００６５】
プレゼン用リモコン２０の操作部２２には、例えば、プロジェクタ本体１にパソコン１０１を接続した場合に、パソコン１０１のプレゼンテーション用ソフトウェアと連動してページ送り及びページ戻しを行うためのボタン、並びにパソコン１０１のマウスカーソルを操作するためのボタン等を備えている。シアター用リモコン３０の操作部には、例えば、プロジェクタ本体１に内蔵された図示しないスピーカの音量の調節を行うボリュームボタン、ミュートボタン及び再生中の動画を静止画として停止させて表示するフリーズボタン等を備えている。
【００６６】
プロジェクタ本体１の筐体２の上面には、プレゼン用リモコン２０又はシアター用リモコン３０のどちらか一方を収容するリモコン収容部４が設けてある。リモコン収容部４は、プレゼン用リモコン２０の筐体２１及びシアター用リモコン３０の筐体３１と同程度の大きさに、プロジェクタ本体１の筐体２に形成された略長方形状の凹部である。また、プロジェクタ本体１は、プレゼン用リモコン２０及びシアター用リモコン３０と赤外線による通信を行うための赤外線通信部５ａ及び赤外線通信部５ｂを備えており、赤外線通信部５ａは筐体２の側面部に配され、赤外線通信部５ｂはリモコン収容部４内に配される。
【００６７】
図２は、本発明に係るプロジェクタ本体１にプレゼン用リモコン２０を収容した状態を示す模式図である。なお、図示しないが、シアター用リモコン３０をリモコン収容部４へ収容する場合も、プレゼン用リモコン２０をリモコン収容部４へ収容する場合と同様である。
【００６８】
プロジェクタ本体１のリモコン収容部４は、（ａ）に示すように、操作面２１ａが外部に露出するようにプレゼン用リモコン２０を収容することができ、また、（ｂ）に示すように、操作面２１ａの反対面２１ｂが外部に露出するように収容することができる。リモコン収容部４の深さは、プレゼン用リモコン２０を収容した場合に、プレゼン用リモコン２０の筐体２１の周側面の一部がリモコン収容部４から露出するように、筐体２１の厚さよりも若干小さくしてある。これにより、使用者がプレゼン用リモコン２０をリモコン収容部４から取り外しやすくしてある。
【００６９】
リモコン収容部４の内周側面には、プレゼン用リモコン２０を操作面２１を露出するように収容した場合に、プレゼン用リモコン２０の筐体２１の側面に設けられた赤外線通信部２３と対向する位置に、赤外線通信部２３と通信を行うための赤外線通信部５ｂが配設してある。また、反対面２１ｂを露出させてプレゼン用リモコン２０を収容した場合に、赤外線通信部２３及び赤外線通信部５ｂが対向しないように、赤外線通信部２３はプレゼン用リモコン２０の側面の長手方向の中央部ではなく、一方の端部に設けてある。
【００７０】
図３は、本発明に係るプロジェクタ本体１の構成を示すブロック図である。プロジェクタ本体１は、光源７、光源７からの光を光変調する光変調部１０及びスクリーン１００へ映像を投射する投射レンズ部３等を備えている。光源７はキセノンランプ又は水銀ランプ等のランプを有しており、光源７から発せられた光の出射先にはカラーホイール８が配設してある。光源７から出射した光はカラーホイール８により、光の３原色に分離される。カラーホイール８は、赤色、緑色及び青色の光をそれぞれ透過する扇状のカラーフィルタを３つ等配した円盤であり、中心にはモータ９の回転軸が接続されている。モータ９によりカラーホイール８を回転させることで、光源７からの光を、一定の期間に赤色、緑色及び青色の順番に表示するようにして、光の３原色に分離することができる。
【００７１】
カラーホイール８により３原色に分離された光は、光変調部１０へ入射する。光変調部１０は、ＤＭＤ（Ｄｉｇｉｔａｌ  Ｍｉｃｒｏｍｉｒｒｏｒ  Ｄｅｖｉｃｅ）又は液晶パネル等の光変調素子と、カラーホイール８からの光を光変調素子へ導くための光路を形成するレンズ、プリズム及び鏡等の光学部材とを備えている。光変調部１０にて変調された光は、投射レンズ部３に備えられたレンズにより拡大されてスクリーン１００へ投射される。
【００７２】
光源７、モータ９及び光変調部１０は制御部１２により制御されており、制御部１２は、赤外線通信部５ａ又は赤外線通信部５ｂが受信したプレゼン用リモコン２０又はシアター用リモコン３０からの信号に従って処理を行う。また、制御部１２は、プロジェクタ本体１が投射を行う場合に必要な、映像のＲＧＢ各色の明度、彩度及び色相等の設定情報を記憶部１３に記憶しており、設定情報を赤外線通信部５ａ又は赤外線通信部５ｂにより、プレゼン用リモコン２０又はシアター用リモコン３０と送受信することができるようにしてある。
【００７３】
制御部１２は、外部機器であるパソコン１０１又はＤＶＤプレーヤー１０２等から投射するデータ又は映像の信号が入力され、入力された信号に従って光変調部１０を制御し、投影を行っている。パソコン１０１は外部端子１４ａに接続され、ＤＶＤプレーヤー１０２は接続端子１４ｂに接続されて、接続端子１４ａ及び接続端子１４ｂを介して制御部１２へ信号を供給する。また、プレゼン用リモコン２０にてパソコン１０１のプレゼンテーション用ソフトウェアに対するページ送り及びページ戻し等の操作が行われた場合には、制御部１２から接続端子１４ａを介してパソコン１０１へ制御命令が伝えられる。パソコン１０１と接続する接続端子１４ａは、例えばＤＶＩ端子又はＲＳ−２３２Ｃ端子等であり、ＤＶＤプレーヤー１０２と接続する接続端子１４ｂはＲＣＡ端子又はＳビデオ端子等である。
【００７４】
図４は、本発明に係るリモートコントローラの構成を示すブロック図であり、図５は、本発明に係るリモートコントローラの模式的平面図である。なお、図４及び図５においては、プレゼン用リモコン２０を例に図示しているが、シアター用リモコン３０も同様の構成である。
【００７５】
プレゼン用リモコン２０の操作部２２には、複数のボタンが設けられており、使用者がボタンを押して行った操作は、制御部２４に伝えられる。制御部２４は、操作されたボタンを判断し、操作されたボタンに応じた制御命令を赤外線通信部２３からプロジェクタ本体１へ送信する。赤外線通信部２３は、プロジェクタ本体１への送信だけでなく、プロジェクタ本体１から送信された設定情報を受信することが可能であり、受信した設定情報は制御部２４へ与えられ、記憶部２５に記憶される。
【００７６】
記憶部２５は、使用者が好みの値を設定できる設定１〜設定３及び予め決められたおすすめ設定の４つの設定情報を記憶することができる。操作部２２には、記憶部２５に記憶された４つの設定情報を選択するために、設定１ボタン２２ａ、設定２ボタン２２ｂ、設定３ボタン２２ｃ及びおすすめボタン２２ｄの４つのボタンが設けてあり、４つの中の１つを押して設定情報を選択し、送信ボタン２２ｅを押すことで選択した設定情報をプロジェクタ本体１へ送信し、プロジェクタ本体１の設定を変更することができる。
【００７７】
また、操作部２２には、プロジェクタ本体１の記憶部１３に記憶された設定情報の送信を要求するための要求ボタン２２ｆが設けてある。要求ボタン２２ｆを押した場合、プロジェクタ本体１へ設定情報の送信要求が与えられ、プロジェクタ本体１は記憶部１３から設定情報を読み出してプレゼン用リモコン２０へ送信する。プロジェクタ本体１から送信された赤外線通信部２３にて受信され、記憶部２５に記憶される。このとき、設定１ボタン２２ａ、設定２ボタン２２ｂ及び設定３ボタン２２ｃにより設定情報を記憶する領域を選択できる。なお、おすすめ設定は変更することができない。
【００７８】
図６は、本発明に係るリモートコントローラの制御部の処理手順を示すフローチャートである。なお、以下の説明はプレゼン用リモコン２０を例に行うが、シアター用リモコン３０も同様の処理である。
【００７９】
制御部２４は、操作部２２のボタンが操作されたか否かを判定し（ステップＳ１）、ボタンが操作されていない場合は（Ｓ１：ＮＯ）、ボタンが操作されるまで待機する。操作部２２のボタンが操作された場合（Ｓ１：ＹＥＳ）、操作されたボタンの種類を判定し（ステップＳ２）、判定の結果、操作されたボタンが設定１ボタン２２ａ、設定２ボタン２２ｂ、設定３ボタン２２ｃ又はおすすめボタン２２ｄの設定を選択するためのボタンであるか否かを調べる（ステップＳ３）。操作されたボタンが設定を選択するためのボタンである場合（Ｓ３：ＹＥＳ）、選択を操作されたボタンに応じて変更する（ステップＳ４）。
【００８０】
操作されたボタンが設定を選択するためのボタンでない場合（Ｓ３：ＮＯ）、操作されたボタンが送信ボタン２２ｅであるか否かを調べる（ステップＳ５）。操作されたボタンが送信ボタン２２ｅである場合（Ｓ５：ＹＥＳ）、記憶部２５から選択されている設定の設定情報を読み出し（ステップＳ６）、読み出した設定情報を赤外線通信部２３からプロジェクタ本体１へ送信する（ステップＳ７）。
【００８１】
操作されたボタンが送信ボタン２２ｅでない場合（Ｓ５：ＮＯ）、操作されたボタンが要求ボタン２２ｆであるか否かを調べる（ステップＳ８）。操作されたボタンが要求ボタン２２ｆである場合（Ｓ８：ＹＥＳ）、設定情報の送信要求をプロジェクタ本体１へ送信する（ステップＳ９）。その後、赤外線通信部２３がプロジェクタ本体１から設定情報を受信したか否かを調べ（ステップＳ１０）、設定情報を受信していない場合は（Ｓ１０：ＮＯ）、設定情報を受信するまで待機する。設定情報を受信した場合（Ｓ１０：ＹＥＳ）、受信した設定情報を記憶部２５に記憶する（ステップＳ１１）。操作されたボタンが要求ボタン２２ｆでない場合は（Ｓ８：ＮＯ）、操作されたボタンに対応する制御命令を赤外線送信部２３からプロジェクタ本体１へ送信する（ステップＳ１２）。
【００８２】
図７は、本発明に係るプロジェクタ本体１の制御部１２の処理手順を示すフローチャートである。プロジェクタ本体１の制御部１２は、赤外線通信部５ａ又は赤外線通信部５ｂがプレゼン用リモコン２０又はシアター用リモコン３０から送信された信号を受信したか否かを調べ（ステップＳ２１）、信号を受信していない場合は（Ｓ２１：ＮＯ）、信号を受信するまで待機する。信号を受信した場合（Ｓ２１：ＹＥＳ）、受信した信号の内容が設定情報の送信要求であるか否かを調べる（ステップＳ２２）。受信した信号が設定情報の送信要求である場合（Ｓ２２：ＹＥＳ）、記憶部１３から設定情報を読み出し（ステップＳ２３）、赤外線通信部５ａ及び赤外線通信部５ｂから設定情報を送信する（ステップＳ２４）。
【００８３】
受信した信号が設定情報の送信要求でない場合（Ｓ２２：ＮＯ）、受信した信号がリモコンから送信された設定情報であるか否かを調べる（ステップＳ２５）。受信した信号が設定情報である場合には（Ｓ２５：ＹＥＳ）、記憶部１３に記憶してある設定情報を受信した設定情報に更新する（ステップＳ２６）。
【００８４】
受信した信号がリモコンからの設定情報でない場合（Ｓ２５：ＮＯ）、受信した信号がプロジェクタ本体１の設定変更を行う制御命令であるか否かを調べる（ステップＳ２７）。受信した信号が設定変更を行う制御命令である場合（Ｓ２７：ＹＥＳ）、記憶部１３に記憶してある設定情報を制御命令に従って変更する（ステップＳ２８）。受信した信号が設定変更を行う制御命令でない場合は（Ｓ２７：ＮＯ）、受信した信号はその他の制御命令であるので、制御命令に応じて映像の投影処理を行う（ステップＳ２９）。
【００８５】
以上の構成のプロジェクタにおいては、プロジェクタ本体１及びリモコンの間で設定情報を送受信し、設定情報をリモコンの記憶部に記憶させる構成としたため、リモコンの記憶部に記憶した設定情報を複数のプロジェクタ本体へ送信することが可能であり、複数のプロジェクタ本体を同じ設定で使用することができる。また、プレゼン用リモコン２０及びシアター用リモコン３０の２種のリモコンを備えたため、使用状況に適したリモコンを選択でき、プロジェクタを簡単に使用することができる。
【００８６】
なお、本実施の形態においては、リモコンの記憶部２５に４つの設定情報を記憶する構成としたが、これに限るものではなく、３つ以下又は５つ以上の設定情報を記憶する構成としてもよい。また、記憶部２５に記憶してある複数の設定情報の選択を、操作部２２に設けられた複数のボタンにより行う構成としたが、これに限らず、メニュー表示などにより複数の設定情報から一の設定情報を選択する構成としてもよい。また、プレゼン用リモコン２０及びシアター用リモコン３０の２種のリモコンを備える構成としたが、両機能を備える１つのリモコンを備える構成としてもよく、更には３つ以上のリモコンを備える構成としてもよい。また、プロジェクタ本体１にパソコン１０１又はＤＶＤプレーヤー１０２を接続する構成を示したが、その他の機器を接続して映像の投影を行う構成であってもよい。また、本実施の形態においては電気機器としてプロジェクタを例に説明を行ったが、これに限るものではなく、他の電気機器、例えばテレビ又はＣＤプレーヤー等であっても同様の構成を適用することができる。
【００８７】
（実施の形態２）
図８は、本発明の実施の形態２に係るプロジェクタ本体の構成を示すブロック図である。図８において、１ａはプロジェクタ本体であり、実施の形態１のプロジェクタ本体１とほぼ同じ構成であるが、リモコンとの通信を行う赤外線通信部５ｃ及び赤外線通信部５ｄはリモコンからの信号を受信するのみであり送信は行わない。赤外線通信部５ｃ又は赤外線通信部５ｄが受信した信号は制御部１２ａに与えられ、制御部１２ａが光源７、モータ９、光変調部１０及び記憶部１３等を制御して、スクリーン１００へ映像を投影する。
【００８８】
実施の形態２に係るプロジェクタは、プロジェクタ本体１ａを操作するためのリモコンを２つ備えており、一方がパソコン１０１から入力されるプレゼンテーション用のデータの投影を行う場合に使用するプレゼン用リモコン４０であり、他方がプロジェクタ本体１をホームシアターに用いて、ＤＶＤプレーヤー１０２から入力される映画などの映像の投影を行う場合に使用するシアター用リモコン５０である。ただし、実施の形態１の２つのリモコンと異なり、プロジェクタ本体１ａに信号を送信するのみで、信号の受信を行う機能は有していない。
【００８９】
図９は、本発明の実施の形態２に係るリモートコントローラの構成を示すブロック図であり、図１０は、本発明に係るリモートコントローラの模式的平面図である。なお、図９及び図１０においては、プレゼン用リモコン４０を例に図示しているが、シアター用リモコン５０も同様の構成である。
【００９０】
プレゼン用リモコン４０の操作部４２には、複数のボタンが設けられており、使用者がボタンを押して行った操作は、制御部４４に伝えられる。制御部４４は、操作されたボタンを判断し、操作されたボタンに応じた制御命令を赤外線通信部４３からプロジェクタ本体１ａへ送信する。また、プレゼン用リモコン４０には、液晶表示により文字及び図形等の表示を行う表示部４６を備えており、プロジェクタ本体１ａが投影を行う場合の明度、彩度及び色相等の設定を行う設定メニューを表示部４６に表示して、設定を行うことができるようにしてある。
【００９１】
表示部４６に設定メニューを表示させる場合には、操作部４２に設けられた設定ボタン４２ａを押すことで表示させることができる。図１０は、一例として彩度設定を行う場合を示しており、操作部４２に設けられたカーソルキー４２ｃを用い、カーソルキー４２ｃを上下に操作することで彩度を変更することができ、カーソルキー４２ｃを左右に操作することで例えば明度又は色相等の他の設定メニューを表示することができる。設定メニューにより設定した内容は、再度設定ボタン４２ａを押すことで確定し、確定した設定情報はプレゼン用リモコン４０の記憶部４５に記憶される。操作部４２に設けられた送信ボタン４２ｂを押すことで、プロジェクタ本体１ａに記憶部４５に記憶された設定情報を送信することができ、プロジェクタ本体１ａの設定を変更することができる。
【００９２】
図１１は、本発明に係るリモートコントローラの制御部の処理手順を示すフローチャートである。なお、以下の説明はプレゼン用リモコン４０を例に行うが、シアター用リモコン５０も同様の処理である。
【００９３】
制御部４４は、操作部４２のボタンが操作されたか否かを判定し（ステップＳ４１）、ボタンが操作されていない場合は（Ｓ４１：ＮＯ）、ボタンが操作されるまで待機する。操作部４２のボタンが操作された場合（Ｓ４１：ＹＥＳ）、操作されたボタンの種類を判定し（ステップＳ４２）、判定の結果、操作されたボタンが設定ボタン４２ａであるか否かを調べる（ステップＳ４３）。操作されたボタンが設定ボタン４２ａである場合（Ｓ４３：ＹＥＳ）、表示部４６に設定メニューを表示する（ステップＳ４４）。これにより使用者がプロジェクタ本体１ａの設定を行えるようになる。
【００９４】
その後、再度設定ボタン４２ａが操作されて設定が確定したか否かを調べ（ステップＳ４５）、設定が確定していない場合には（Ｓ４５：ＮＯ）、設定が確定するまで待機する。設定が確定した場合（Ｓ４５：ＹＥＳ）、確定した設定情報を記憶部４５に記憶して（ステップＳ４６）、設定メニューを非表示にする（ステップＳ４７）。
【００９５】
ステップＳ４３にて、操作されたボタンが設定ボタン４２ａでない場合（Ｓ４３：ＮＯ）、操作されたボタンが送信ボタン４２ｂであるか否かを調べる（ステップＳ４８）。操作されたボタンが送信ボタン４２ｂである場合（Ｓ４８：ＹＥＳ）、記憶部４５から設定情報を読み出し（ステップＳ４９）、赤外線通信部４３からプロジェクタ本体１ａへ設定情報を送信する（ステップＳ５０）。操作されたボタンが送信ボタン４２ｂでない場合（Ｓ４８：ＮＯ）、操作されたボタンに対応する制御命令を赤外線送信部４３からプロジェクタ本体１ａへ送信する（ステップＳ５１）。
【００９６】
図１２は、本発明の実施の形態２に係るプロジェクタ本体１ａの制御部１２ａの処理手順を示すフローチャートである。プロジェクタ本体１ａの制御部１２ａは、赤外線通信部５ｃ又は赤外線通信部５ｄがプレゼン用リモコン４０又はシアター用リモコン５０から送信された信号を受信したか否かを調べ（ステップＳ６１）、信号を受信していない場合は（Ｓ６１：ＮＯ）、信号を受信するまで待機する。信号を受信した場合（Ｓ６１：ＹＥＳ）、受信した信号がリモコンから送信された設定情報であるか否かを調べる（ステップＳ６２）。受信した信号が設定情報である場合には（Ｓ６２：ＹＥＳ）、記憶部１３に記憶してある設定情報を受信した設定情報に更新する（ステップＳ６３）。受信した信号が設定情報でない場合は（Ｓ６２：ＮＯ）、受信した信号はその他の制御命令であるので、制御命令に応じて映像の投影処理を行う（ステップＳ６４）。
【００９７】
以上の構成のプロジェクタにおいては、プロジェクタ本体の設定をリモコンで行い、設定情報をリモコンの記憶部に記憶しておき、プロジェクタ本体へ設定情報を送信して設定変更を行う構成としたため、同じ設定を複数のプロジェクタ本体へ送信することが可能であり、複数のプロジェクタ本体を同じ設定で使用することができる。
【００９８】
なお、実施の形態２においては、プロジェクタ本体の設定情報を１つ記憶する構成を示したが、これに限らず、実施の形態１と同様に複数の設定情報を記憶しておき、複数のうちの１つを選択してプロジェクタ本体に送信する構成としてもよい。また、実施の形態２においては電気機器としてプロジェクタを例に説明を行ったが、これに限るものではなく、他の電気機器、例えばテレビ又はＣＤプレーヤー等であっても同様の構成を適用することができる。
【００９９】
実施の形態２に係るプロジェクタのその他の構成は、実施の形態１に係るプロジェクタの構成と同様であるため、同様の箇所には同じ符号を付して詳細な説明を省略する。
【図面の簡単な説明】
【０１００】
【図１】本発明に係るプロジェクタの構成を示す略示外観図である。
【図２】本発明に係るプロジェクタ本体にプレゼン用リモコンを収容した状態を示す模式図である。
【図３】本発明に係るプロジェクタ本体の構成を示すブロック図である。
【図４】本発明に係るリモートコントローラの構成を示すブロック図である。
【図５】本発明に係るリモートコントローラの模式的平面図である。
【図６】本発明に係るリモートコントローラの制御部の処理手順を示すフローチャートである。
【図７】本発明に係るプロジェクタ本体の制御部の処理手順を示すフローチャートである。
【図８】本発明の実施の形態２に係るプロジェクタ本体の構成を示すブロック図である。
【図９】本発明の実施の形態２に係るリモートコントローラの構成を示すブロック図である。
【図１０】本発明に係るリモートコントローラの模式的平面図である。
【図１１】本発明に係るリモートコントローラの制御部の処理手順を示すフローチャートである。
【図１２】本発明の実施の形態２に係るプロジェクタ本体の制御部の処理手順を示すフローチャートである。
【符号の説明】
【０１０１】
１、１ａ  プロジェクタ本体
２  筐体
４  リモコン収容部
５ａ、５ｂ  赤外線通信部
１２、１２ａ  制御部
１３  記憶部
１４ａ、１４ｂ  接続端子
２０、４０  プレゼン用リモコン
２１  筐体
２１ａ  操作面
２２、４２  操作部
２３、４３  赤外線通信部
２４、４４  制御部
２５、４５  記憶部
３０、５０  シアター用リモコン
３１  筐体
３１ａ  操作面
３２  操作部
３３  赤外線通信部
【図１】
2006292898.tif 000003
【図２】
2006292898.tif 000004
【図３】
2006292898.tif 000005
【図４】
2006292898.tif 000006
【図５】
2006292898.tif 000007
【図６】
2006292898.tif 000008
【図７】
2006292898.tif 000009
【図８】
2006292898.tif 000010
【図９】
2006292898.tif 000011
【図１０】
2006292898.tif 000012
【図１１】
2006292898.tif 000013
【図１２】
2006292898.tif 000014